Podtech/llm-jp-corpus-v4-ja_patent huggingface dataset:
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
マントル細胞リンパ腫 (MCL)を有するヒト対象の生存予測スコアを決定する方法であって、該方法が以下：
(a)  対象由来のホルマリン固定及びパラフィン包埋 (FFPE)の生検試料を提供すること；
(b)  該生検試料からRNAの遺伝子発現産物を単離すること；
(c)  該RNAの遺伝子発現産物から遺伝子発現データを取得すること（該遺伝子発現データは、以下の表：
【表１】
2019514374.tif 000001
中に列記された各遺伝子についての発現レベルを表すシグナル値を含む）；並びに
(d)  該遺伝子発現データから生存予測スコアを決定すること（該生存予測スコア
は、
(c)の表中に列記された各遺伝子についての乗算の積を計算すること（該乗算の積
は遺伝子のシグナル値の対数変換と該遺伝子についての係数値との数学的積であり、遺伝子についての該係数値は(c)の表中に列記されている）及び
該乗算の積を合計すること
によって決定される）
を含む、方法。
【請求項２】
前記RNAの遺伝子発現データがNanoString Technologies（登録商標）nCounter（登録商標）アッセイを使用して取得される、請求項1に記載の方法。
【請求項３】
マントル細胞リンパ腫 (MCL)を有するヒト対象の生存転帰の予測を補助する方法であって、以下：
(a)  請求項1又は2により対象の生存予測スコアを決定すること；並びに
(b)  該対象を、生存予測スコアに基づいて、以下の群：(i)良好な予後（生存予測スコアが-143未満として計算される）、(ii)中間の予後（生存予測スコアが-143〜-28の
間として計算される）、及び(iii)不良な予後（生存予測スコアが-28超として計算される）の一つに属するとして分類すること
を含む、方法。
【請求項４】
マントル細胞リンパ腫 (MCL)を有するヒト対象の治療の選択を補助する方法であって、以下：
(a)  請求項3により対象を分類すること；及び
(b)  対象の分類に基づいて対象の治療を選択すること
を含む、方法。
【請求項５】
前記治療が、R-CHOP (リツキシマブ、シクロフォスファミド、ヒドロキシダウノルビシン、ビンクリスチン及びプレドニゾン)の投与を含む、請求項4に記載の方法。
【請求項６】
マントル細胞リンパ腫 (MCL)を有するヒト対象の生存予測スコアを決定する方法であって、該方法が以下：
(a)  対象由来のホルマリン固定及びパラフィン包埋 (FFPE)の生検試料を提供すること；
(b)  該生検試料からRNAの遺伝子発現産物を単離すること；
(c)  該RNAの遺伝子発現産物から遺伝子発現データを取得すること（該遺伝子発現データは、以下の表：
【表２】
2019514374.tif 000002
中に列記された各遺伝子についての発現レベルを表すシグナル値を含む）；並びに
(d)  該遺伝子発現データから生存予測スコアを決定すること（該生存予測スコア
は、
(c)の表中に列記された各遺伝子についての乗算の積を計算すること（該乗算の積
は遺伝子のシグナル値と該遺伝子についての係数値との数学的積であり、遺伝子についての該係数値は(c)の表中に列記されている）及び
該乗算の積を合計すること
によって決定される）
を含む、方法。
【請求項７】
前記RNAの遺伝子発現データがNanoString Technologies（登録商標）nCounter（登録商標）アッセイを使用して取得される、請求項6に記載の方法。
【請求項８】
マントル細胞リンパ腫 (MCL)を有するヒト対象の生存転帰の予測を補助する方法であって、以下：
(a)  請求項6又は7により対象の生存予測スコアを決定すること；並びに
(b)  該対象を、生存予測スコアに基づいて、以下の群：(i)良好な予後（生存予測スコアが約-100000未満として計算される）、(ii)中間の予後（生存予測スコアが約-100000〜約-32000の間として計算される）及び(iii)不良な予後（生存予測スコアが約-32000
超として計算される）の一つに属するとして分類すること
を含む、方法。
【請求項９】
マントル細胞リンパ腫 (MCL)を有するヒト対象の治療の選択を補助する方法であって、以下：
(a)  請求項8により対象を分類すること；及び
(b)  対象の分類に基づいて対象の治療を選択すること
を含む、方法。
【請求項１０】
前記治療がR-CHOP (リツキシマブ、シクロフォスファミド、ヒドロキシダウノルビシン、ビンクリスチン及びプレドニゾン)の投与を含む、請求項9に記載の方法。
【請求項１１】
マントル細胞リンパ腫 (MCL)を有するヒト対象の生存転帰の予測を補助する方法であって、以下：
(a)  対象由来のホルマリン固定及びパラフィン包埋 (FFPE)の生検試料を提供すること；
(b)  該生検試料からRNAの遺伝子発現産物を単離すること；
(c)  該RNAの遺伝子発現産物から遺伝子発現データを取得すること（該遺伝子発現データは以下の表：
【表３】
2019514374.tif 000003
中に列記された各遺伝子iについての発現レベルを表すシグナル値を含む）；並びに
(d)  該遺伝子発現データから生存予測スコアを決定すること（生存予測スコアは
以下の式：
【数１】
2019514374.tif 000004
（前記式中：yは生存予測スコアであり、ciは(c)の表中に列記された遺伝子iの係数値で
あり、xiは遺伝子iのシグナル値である）
によって決定される）
を含む、方法。
【請求項１２】
マントル細胞リンパ腫 (MCL)を有するヒト対象の生存予測スコアを決定するためのキットであって、以下の表：
【表４】
2019514374.tif 000005
中に列記された各遺伝子の特定のmRNA種の存在量を測定するためのプローブのセットを含む、キット。
【手続補正書】
【提出日】令和2年2月10日(2020.2.10)
【手続補正１】
【補正対象書類名】明細書
【補正対象項目名】０００３
【補正方法】変更
【補正の内容】
【０００３】
胃疾患が地球規模で蔓延しているにもかかわらず、ヒトの胃の胃底部上皮を研究するための適切なモデルは少数である。ヒト胃底部型胃オルガノイド（ｈＦＧＯ）の開発は、ヒトの胃の生理学、病理生理学、及び薬剤開発の分子レベルの基礎を研究するための新規のかつ強力なモデルシステムであろう。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２０１５／１８３９２０号
（特許文献２）  国際公開第２０１４／１５９３５６号
（特許文献３）  米国特許出願公開第２０１４／０１４１５０９号明細書
（特許文献４）  米国特許出願公開第２０１４／０３０２４９１号明細書
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
細胞内で組換えポリペプチドを生産する方法であって、
i）ステアロイル−ＣｏＡデサチュラーゼ−１（ＳＣＤ１）またはその機能的断片若しくはアイソフォームを含む第１の脂質代謝モジュレータ（ＬＭＭ）をコードする第１の外因性核酸と、前記組換えポリペプチドをコードする外因性核酸とを含む真核細胞を準備し、
ii）前記第１のＬＭＭ及び前記組換えポリペプチドを発現する条件下で前記細胞を培養し、
それにより組換えポリペプチドを生産する方法。
【請求項２】
前記ポリペプチドが、
i）治療用ポリペプチド、
ii）抗体若しくはその断片、モノクローナル抗体、または二重特異的分子、および／または
iii）ホルモン、血液凝固もしくは凝固因子、サイトカイン若しくは成長因子、融合タンパク質およびタンパク質ワクチンから選択される、請求項１に記載の方法。
【請求項３】
前記第１のＬＭＭが、前記第１のＬＭＭを有していない細胞と比較して、前記組換えポリペプチドの生成量又は生成速度を増加する、請求項１又は２に記載の方法。
【請求項４】
前記第１のＬＭＭが、前記第１のＬＭＭを有さない細胞と比較して、誤って折り畳まれたか、折り畳まれてない組換えポリペプチドに対する適切に折り畳まれた生成物の比を増加する、請求項１または請求項２に記載の方法。
【請求項５】
前記第１のＬＭＭは、配列番号３のアミノ酸配列またはその機能断片と少なくとも８０％の同一性を有するか；あるいは、配列番号３のアミノ酸配列またはその機能的断片と１つ以上５０以下のアミノ酸残基が異なる、請求項１〜４の何れか１項に記載の方法。
【請求項６】
前記細胞は、ステロール調節エレメント結合因子１（ＳＲＥＢＦ１）またはその機能的断片若しくはアイソフォームを含む第２のＬＭＭをコードする第２の外因性核酸を含み、工程ｉｉ）で前記細胞を、前記第２のＬＭＭが発現する条件下で培養する、請求項１〜５の何れか１項に記載の方法。
【請求項７】
前記第２のＬＭＭが、配列番号１または３４に対応するＳＲＥＢＦ１のアミノ酸配列、または配列番号２６、２７、または３６に対応するその機能的フラグメントと少なくとも８０％の同一性を有するアミノ酸配列を含むか; 配列番号１または３４に対応するＳＲＥＢＦ１のアミノ酸配列又はアミノ酸配列番号２６、２７、または３６に対応するその機能的断片と１以上５０以下アミノ酸残基が異なる、請求項６に記載の方法。
【請求項８】
前記第２のＬＭＭが、前記第２のＬＭＭを有さない細胞と比較して、前記組換えポリペプチドの生成量又は生成速度を増加する、請求項６または請求項７に記載の方法。
【請求項９】
前記組換えポリペプチドの生成が、前記第１のＬＭＭを有さない細胞によって生産された組換えポリペプチドのレベルまたは量と比較して、２倍、５倍、１０倍、２０倍、５０倍、または１００倍増加する、請求項１〜８の何れか１項に記載の方法。
【請求項１０】
前記第１のＬＭＭをコードする核酸が、前記細胞の染色体ゲノムに組み込まれ、ＬＭＭが安定して発現される、請求項１〜９の何れか１項に記載の方法。
【請求項１１】
前記細胞が哺乳動物細胞である、請求項１〜１０の何れか１項に記載の方法。
【請求項１２】
前記組換えポリペプチドを少なくとも１つの細胞成分または培地成分から分離することをさらに含む、請求項１〜１１の何れか１項に記載の方法。
【請求項１３】
前記組換えポリペプチドをコードする外因性核酸は、前記第１のＬＭＭをコードする前記第１の外因性核酸を導入した後に導入される、請求項１〜１２の何れか１項に記載の方法。
【請求項１４】
第１の脂質代謝モジュレーター（ＬＭＭ）をコードする第１の外因性核酸であって、前記第１のＬＭＭは、ステアロイルＣｏＡデサチュラーゼ−１（ＳＣＤ１）またはその機能的フラグメント若しくはアイソフォームを含む、外因性核酸と、
組換えポリペプチドをコードする外因性核酸とを含む真核細胞であって、
前記第１の外因性核酸は、前記細胞の染色体のゲノムに組み込まれており、前記組換えポリペプチドは、
i）治療用ポリペプチド、
ii）抗体若しくはその断片、モノクローナル抗体、または二重特異的分子、および／または
III）ホルモン、血液凝固若しくは凝固因子、サイトカイン若しくは増殖因子、抗体分子、融合タンパク質およびタンパク質ワクチンから選択される、真核細胞。
【請求項１５】
前記細胞は、哺乳動物細胞である、請求項１４に記載の細胞。
【請求項１６】
ＣＨＯ細胞である、請求項１５に記載の細胞。
【請求項１７】
前記第１のＬＭＭが、前記第１のＬＭＭを有さない細胞と比較して、前記組換えポリペプチドの生成量又は生成速度を増加する、請求項１４から１６の何れか１項に記載の細胞。
【請求項１８】
前記第１のＬＭＭが、前記第１のＬＭＭを有さない細胞と比較して、誤って折り畳まれたか、折り畳まれてない組換えポリペプチドに対する適切に折り畳まれた生成物の比を増加する、請求項１４から１６のいずれか一項に記載の細胞。
【請求項１９】
目的の治療用の組換えポリペプチドの製造における、請求項１４〜１８の何れか１項に記載の細胞の使用。
【手続補正書】
【提出日】令和2年4月16日(2020.4.16)
【手続補正１】
【補正対象書類名】特許請求の範囲
【補正対象項目名】全文
【補正方法】変更
【補正の内容】
【特許請求の範囲】
【請求項１】
調味料成分を処理する方法であって、
前記調味料成分を高周波に曝露して、官能特性を保存しながら、有害な微生物の除去に十分なレベルまで、前記調味料成分の温度を実質的に均一に前記調味料成分全体にわたり上昇させること
を含む前記方法。
【請求項２】
前記調味料成分が香辛料またはハーブである、請求項１に記載の方法。
【請求項３】
前記調味料成分が種子の形態である、請求項１に記載の方法。
【請求項４】
前記調味料成分が、黒コショウ、白コショウ、赤トウガラシ、パプリカ、コリアンダー、バジル、パセリ、香菜、オレガノ、ニンニク、タマネギ、ローズマリー、ディル、トマト、チーズ、コショウ、ナツメグおよびマスタードからなる群から選択される、請求項１に記載の方法。
【請求項５】
前記高周波に曝露する前の前記調味料成分が約５０重量％までの含水量を有する、請求項１に記載の方法。
【請求項６】
前記高周波に曝露する前の前記調味料成分が約１０重量％までの含水量を有する、請求項１に記載の方法。
【請求項７】
前記調味料成分が多孔質である、請求項１に記載の方法。
【請求項８】
前記調味料成分の水分活性が０．４〜０．９９である、請求項１に記載の方法。
【請求項９】
前記調味料成分の温度が３０秒〜１時間保持される、請求項１に記載の方法。
【請求項１０】
前記調味料成分が粉末のまたは丸ごとの黒コショウである、請求項１に記載の方法。
【請求項１１】
前記高周波が約３０ｋＷ〜約３００ｋＷである、請求項１に記載の方法。
【請求項１２】
前記温度が約１７０°Ｆ〜約２６０°Ｆである、請求項１に記載の方法。
【請求項１３】
前記微生物がサルモネラ（salmonella）である、請求項１に記載の方法。
【請求項１４】
前記微生物が、酵母、カビ、大腸菌群、ＳＰＣおよび／または芽胞菌を含む、請求項１に記載の方法。
【請求項１５】
前記芽胞菌がセレウス菌（bacillus cereus）および／またはウェルシュ菌（Claustridium perfringens）を含む、請求項１４に記載の方法。
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
１つ以上の超音波センサーを配置した介入器具を追跡する追跡デバイスであって：
２次元（２Ｄ）超音波画像を取得するように構成される超音波プローブを含む超音波イメージング・デバイス；及び
介入器具の追跡方法を実行するように前記超音波イメージング・デバイスを動作させるようにプログラムされる電子プロセッサ；
を有し、前記追跡方法は：
視覚化平面の２Ｄ超音波画像を表示するように前記超音波イメージング・デバイスを動作させるステップ；
前記視覚化平面を包含する複数の平面の２Ｄ超音波掃引を実行し、前記複数の平面の各２Ｄ超音波掃引に関し、前記平面の前記２Ｄ超音波掃引に応答して各超音波センサーから放出される信号を検出するステップ；
各超音波センサーに関し、前記複数の平面のうち、前記超音波センサーにより放出され検出された信号が最高である最適平面と、前記最適平面における前記超音波センサーの位置と、前記最適平面における前記超音波センサーの位置に基づく、３次元（３Ｄ）リファレンス空間内の超音波センサーの位置とを識別するステップ；及び
前記３Ｄリファレンス空間における１つ以上の超音波センサーの識別された位置に基づいて、前記介入器具の先端位置及び方向のうち少なくとも何れかを含む前記介入器具の空間情報を決定するステップ；
を含む、追跡デバイス。
【請求項２】
軸の回りに前記超音波プローブを回転させるように接続されるステッパー・デバイスであって、前記ステッパー・デバイスにより制御される平面角を有する平面で前記２Ｄ超音波画像を取得する、ステッパー・デバイス；
を更に有し、前記複数の平面は、前記視覚化平面の平面角を包含する平面角度範囲に及んでいる、請求項１に記載の追跡デバイス。
【請求項３】
前記超音波プローブは、経直腸超音波（ＴＲＵＳ）プローブである、請求項２に記載の追跡デバイス。
【請求項４】
会陰に隣接して配置されるように構成されるガイダンス・グリッドであって、前記ガイダンス・グリッドのエントリ・ポイントを介して前記介入器具をガイドするように構成されるガイダンス・グリッド；
を更に有し、前記電子プロセッサは、前記介入器具を案内する前記ガイダンス・グリッドの前記エントリ・ポイントの前記３Ｄリファレンス空間における位置に更に基づいて、前記介入器具の前記空間情報を決定する、請求項２に記載の追跡デバイス。
【請求項５】
前記超音波プローブの前記３Ｄリファレンス空間における位置を追跡するように構成される超音波プローブ・トラッカー；
を更に有し、前記３Ｄリファレンス空間における前記超音波センサーの位置Ｐ（ｘ，ｙ，ｚ）が、Ｐ（ｘ，ｙ，ｚ）＝Ｔｐｒｏｂｅ，θ×ｐ（ｘ，ｙ）のように同定され、ｐ（ｘ，ｙ）は前記最適平面における前記超音波センサーの位置であり、Ｔｐｒｏｂｅ，θは、前記プローブの追跡された位置及び前記最適平面のパラメータθに依存する、前記最適平面から前記３Ｄリファレンス空間への変換である、請求項１ないし４のうちの何れか一項に記載の追跡デバイス。
【請求項６】
前記介入器具に配置される前記超音波センサーは圧電センサーであり、前記追跡デバイスは：
前記２Ｄ超音波掃引に応答して各圧電センサーにより放出される電気信号を検出するように構成される電気信号ディテクタ；
を更に有し、前記電子プロセッサは、前記２Ｄ超音波掃引に応答して各圧電センサーにより放出される前記電気信号を検出するために前記電気信号ディテクタを利用して前記検出するステップを実行する、請求項１ないし５のうちの何れか一項に記載の追跡デバイス。
【請求項７】
前記介入器具に配置される前記超音波センサーは、受信した超音波パルスを再放射する超音波反射センサーであり、前記電子プロセッサは、前記２Ｄ超音波掃引に応答して各圧電センサーにより放出される再放射超音波パルスを検出するために前記超音波プローブを利用して前記検出するステップを実行する、請求項１ないし５のうちの何れか一項に記載の追跡デバイス。
【請求項８】
前記電子プロセッサは、前記超音波プローブにより発射されるビームのタイミングの関数として、前記センサー信号を分析することに基づいて、前記最適平面における前記超音波センサーの前記位置を識別する、請求項１ないし７のうちの何れか一項に記載の追跡デバイス。
【請求項９】
前記電子プロセッサは、前記超音波センサーの前記位置を、タイム・スタンプされたサンプルとして識別し、前記最適平面のパラメータをタイム・スタンプされたサンプルとして識別し、前記電子プロセッサは、更に、前記超音波センサーの前記位置の前記タイム・サンプルされたサンプルと、前記最適平面の前記パラメータの前記タイム・サンプルされたサンプルとを、補間により同期させる、請求項１ないし８のうちの何れか一項に記載の追跡デバイス。
【請求項１０】
前記電子プロセッサにより実行される前記介入器具の追跡方法は、前記視覚化平面の表示される２Ｄ超音波画像上に、前記介入器具に対する決定された空間情報の視覚的インジケータを表示するステップを更に含む、請求項１ないし９のうち何れか一項に記載の追跡デバイス。
【手続補正２】
【補正対象書類名】明細書
【補正対象項目名】発明の名称
【補正方法】変更
【補正の内容】
【発明の名称】追跡デバイス
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
創傷に陰圧を加える装置であって、
創傷被覆材に流体流路を介して結合して、前記創傷被覆材に陰圧を与えるように構成される、陰圧源（３１３）と、
前記流体流路内の圧力を監視するように構成される、センサ（３１６）と、
コントローラであって、
前記流体流路内の前記圧力に少なくとも部分的に基づいて、さらに前記流体流路内の滲出液の流れの変化の検出、または前記流体流路内の血液の存在の検出のうちの少なくとも１つに基づいて、前記創傷被覆材が創傷に結合されていることを決定すること、および    前記創傷被覆材が前記創傷に結合されていることの表示を出力すること、を行うように構成されるコントローラ（３１１）と、
を備える、装置。
【請求項２】
前記コントローラが、前記陰圧源の作動レベルにさらに基づいて、前記創傷被覆材が前記創傷に結合されていることを決定するように構成される、請求項１に記載の装置。
【請求項３】
前記陰圧源が、アクチュエータによって動作するポンプを備え、前記作動レベルが、ポンプ速度、前記アクチュエータを駆動するように構成されるパルス幅変調（ＰＷＭ）信号、または前記アクチュエータを駆動するように構成される電流信号のうちの少なくとも１つを含む、請求項２に記載の装置。
【請求項４】
前記コントローラが、継続時間にわたる前記作動レベルの変化と関連する、第１の指標を決定するように構成される、請求項３に記載の装置。
【請求項５】
前記第１の指標が、統計的な指標を含む、請求項４に記載の装置。
【請求項６】
前記コントローラが、前記第１の指標が第１の閾値から逸脱しているかどうかを決定するために時系列分析を実行するように、また前記第１の指標が前記第１の閾値から逸脱していることの決定に応じて、前記創傷被覆材が前記創傷に結合されていることを決定するようにさらに構成される、請求項４または５に記載の装置。
【請求項７】
前記時系列分析が、前記第１の指標の累積和（Ｃｕｓｕｍ）の決定を含む、請求項６に記載の装置。
【請求項８】
前記第１の指標の前記Ｃｕｓｕｍが、非因果的Ｃｕｓｕｍ、スライディング因果的Ｃｕｓｕｍまたは累積因果的Ｃｕｓｕｍを含む、請求項７に記載の装置。
【請求項９】
前記第１の指標が、前記作動レベルの標準偏差の尖度を含み、前記第１の指標が、前記流体流路内の滲出液の流れの変化を示す、請求項４〜８のいずれか１項に記載の装置。
【請求項１０】
前記コントローラが、前記継続時間にわたる前記作動レベルの変化と関連する、第２の指標であって、前記第１の指標とは異なる、第２の指標の累積和（Ｃｕｓｕｍ）を決定するようにさらに構成される、請求項４〜９のいずれかに記載の装置。
【請求項１１】
前記第２の指標が、前記流体流路内の気体漏洩レートの変化を示す前記作動レベルの標準偏差を含み、前記コントローラが、前記第２の指標が第２の閾値から逸脱しているかどうかを決定するように、また前記第２の指標が前記第２の閾値から逸脱していることの決定に応じて、前記創傷被覆材が前記創傷に結合されていることを決定するようにさらに構成される、請求項１０に記載の装置。
【請求項１２】
前記コントローラが、前記継続時間にわたる前記流体流路内の前記圧力の変化と関連する、第３の指標であって、前記第１および第２の指標とは異なる、第３の指標の累積和（Ｃｕｓｕｍ）を決定するようにさらに構成される、請求項１０または１１に記載の装置。
【請求項１３】
前記第３の指標が、前記流体流路内の陰圧の変化を示す前記流体流路内の平均圧力を含み、前記コントローラが、前記第３の指標が第３の閾値から逸脱しているかどうかを決定するように、また前記第３の指標が前記第３の閾値から逸脱していることの決定に応じて、前記創傷被覆材が前記創傷に結合されていることを決定するようにさらに構成される、請求項１２に記載の装置。
【手続補正書】
【提出日】令和2年4月20日(2020.4.20)
【手続補正１】
【補正対象書類名】特許請求の範囲
【補正対象項目名】請求項１
【補正方法】変更
【補正の内容】
【請求項１】
ジッパー閉鎖部を封止する方法であって、
第１のテープ上に支持された第１務歯列と、第２のテープ上に支持された第２務歯列と、第１方向にスライドして、前記第１務歯列と、前記第２務歯列とを係合させ、第２方向にスライドして、前記第１務歯列と、前記第２務歯列とを係合解除するスライダーを有する単一の防水噛合式ジッパーファスナーであって、第１ジッパー部位となる第１端と、第２ジッパー部位となる第２端とを有し、前記第１ジッパー部位と、前記第２ジッパー部位とが重なり合い、少なくとも１つの封止領域を含む重なり部分が形成され、少なくとも１つの封止領域は、第１のテープと第２のテープ内に配置され、第１のテープと第２のテープに囲まれている単一の防水噛合式ジッパーファスナーを設けることと、
前記重なり部分の軸方向に沿って、前記第１ジッパー部位と、前記第２ジッパー部との間の漏洩を防止するように、前記少なくとも１つの封止領域内に封止要素を配置することと、を含む方法。
【手続補正２】
【補正対象書類名】特許請求の範囲
【補正対象項目名】請求項１０
【補正方法】変更
【補正の内容】
【請求項１０】
第１テープに支持される第１務歯列と、第２テープに支持される第２務歯列と、第１方向にスライドして、前記第１務歯列と、前記第２務歯列とを係合させ、第２方向にスライドして、前記第１務歯列と、前記第２務歯列とを係合解除するスライダーを有する単一の防水噛合式ジッパーファスナーであって、第１ジッパー部位となる第１端と、第２ジッパー部位となる第２端とを有し、前記第１ジッパー部位と、前記第２ジッパー部位とが重なり合って、少なくとも１つの封止領域を含む重なり部分が形成され、少なくとも１つの封止領域は、第１のテープと第２のテープ内に配置され、第１のテープと第２のテープに囲まれている単一の防水噛合式ジッパーファスナーと、
前記重なり部分の軸方向に沿って、前記第１ジッパー部位と、前記第２ジッパー部との間の漏洩を防止するように、前記少なくとも１つの封止領域内に配置された封止要素と、を備える封止ジッパーアセンブリ。
【手続補正３】
【補正対象書類名】明細書
【補正対象項目名】００４１
【補正方法】変更
【補正の内容】
【００４１】
図３を参照すると、スライダー３４は、噛合式ジッパーファスナー２４に沿って第１の方向にスライドすることで、図１に示すように第１務歯列２６と第２務歯列３０とを係合させるように使用する。図４を参照すると、スライダー３４は、噛合式ジッパーファスナー２４に沿って第２の方向にスライドすることで、図２に示すように第１務歯列２６と第２務歯列３０との係合を解除し、噛合式ジッパーファスナー２４を開く。図６、図７、図９、および図１０を参照すると、スライダー３４が第１務歯列２６と、第２務歯列３０とを噛合させると、第１ジッパー部位１２および第２ジッパー部位１４が完成する。これら部位は、重なり合うことで、封止領域１６を形成する。この状態で、封止領域１６は封止要素２２を含むこととなる。図１１を参照すると、封止要素２２は、封止を補助する隆起部４６を有する。封止要素２２はさらに、第１面５０上の第１経路４８と、第２面５４上の第２経路５２とを有する。図９を参照すると、第１経路４８は第１ジッパー部位１２の噛合状態歯５６を含み、第２経路５２は第２ジッパー部位１４の噛合状態歯５８を含む。
動作
【手続補正４】
【補正対象書類名】明細書
【補正対象項目名】００５１
【補正方法】変更
【補正の内容】
【００５１】
別の代替封止要素は、２つの挟持要素間に配置される。これら挟持要素の少なくとも一方が、他方に対して近接、離間するように移動可能である。挟持要素が互いに向かって移動すると、封止要素は外側に押し付けられて、封止領域を封止する。図２６を参照すると、かかる挟持構成の１つが示されている。代替封止要素６２２は、その長さ方向で貫通するボルト６２４を含む。ボルト６２４は、一端にナット６２６が設けられ、他端に回転ノブ６２８が設けられている。ナット６２６が、一方の挟持要素となり、回転ノブ６２８が他方の挟持要素となる。回転ノブ６２８を回すことで、代替封止要素６２２が、回転ノブ６２８とナット６２６との間で圧縮されるような軸方向運動が生じる。圧縮により、代替封止要素６２２は外側に広がり、代替封止要素６２２が封止領域を封止するまで、封止要素６２２の円周が増大し続ける。
利点
【手続補正５】
【補正対象書類名】図面
【補正対象項目名】図６
【補正方法】変更
【補正の内容】
【図６】
2019514599.tif 000001
【手続補正６】
【補正対象書類名】図面
【補正対象項目名】図９
【補正方法】変更
【補正の内容】
【図９】
2019514599.tif 000002
【手続補正７】
【補正対象書類名】図面
【補正対象項目名】図１３
【補正方法】変更
【補正の内容】
【図１３】
2019514599.tif 000003
【手続補正８】
【補正対象書類名】図面
【補正対象項目名】図１６
【補正方法】変更
【補正の内容】
【図１６】
2019514599.tif 000004
【手続補正９】
【補正対象書類名】図面
【補正対象項目名】図２０
【補正方法】変更
【補正の内容】
【図２０】
2019514599.tif 000005
【手続補正１０】
【補正対象書類名】図面
【補正対象項目名】図２１
【補正方法】変更
【補正の内容】
【図２１】
2019514599.tif 000006
【手続補正書】
【提出日】令和2年4月27日(2020.4.27)
【手続補正１】
【補正対象書類名】明細書
【補正対象項目名】００５９
【補正方法】変更
【補正の内容】
【００５９】
送風機８０は、中心空気入口アパーチャ８２ａ（図１０、図１１を参照されたい）と、中心空気入口アパーチャ８２ａを横切ってハブまでプレート全体に半径方向に延びるリブ８２ｂとを有するプレート８２を含む上部ハウジング部分（「上ハウジング」）８１を含む。リブ８２ｂは、図１１に露出した状態で示されている。或いは、図１３Ａの代替的実施形態に示すように、リブ８２ｂは、中心ハブ２００において歪むことができる。歪むことで、インペラのブレードとの相互作用を低減する。図１３に示される特定の実施形態では、リブのそれぞれは、半径方向部分と、歪む部分とを含む。各歪む部分は、その各半径方向部分の長手方向軸線を横断する軸線に沿って延びている。各半径方向部分は、プレートの周縁部から中心ハブの外縁部まで延び、各歪む部分は、他の歪む部分の全てに接続している中心接続部の外縁部から延びる。各隣接する歪む部分間に、モータに空気を流すための開口部が形成されている。他の実施形態では、各リブ８２の歪む部分は、中心ハブ領域において湾曲し、インペラのブレードとの相互作用を最小限にすることができる。図１１及び図１３Ａ〜図１３Ｃは、５つのリブを示すが、様々な数のリブ、例えば３つ、５つ、又は９つのリブを設け得ることが理解されるであろう。リブがフード８３の安定した支持ベースを提供するようにするために奇数のリブを有すると有利であり得る。図１１及び図１３Ａ〜図１３Ｃから分かるように、リブ８２ｂは、等角状態に配置され得る。上ハウジング８１は、上ハウジング８１をフード８３に向け且つ／又は取り付けるように構成された係合特徴を更に含み得る。
【手続補正２】
【補正対象書類名】明細書
【補正対象項目名】００６６
【補正方法】変更
【補正の内容】
【００６６】
全ての実施形態において、配置構成は、軸受及びスタブアクスル配置構成がシャフトを送風機の上／上部支持体及び下／底部支持体に結合するようになっている。軸受及びシャフトは、他に類似の構成を有することができ（しかし、この実施形態では、シャフトが中空である必要はない）、したがって、配置構成は、前述の実施形態と同じ利点をなお提供する。シャフトは、従来のトポロジーにおけるシャフトと同様の直径のものとすることができ、インペラの堅固な機械的結合を可能にする。しかし、スタブアクスルは、シャフトより細く、軸受内に延び得ることから、シャフトの直径は、軸受の内径に影響されない。
シャフトの外径は、したがって、インペラの堅固な結合を可能にするほどの適切な寸法、例えば約５ｍｍ又は代替的に約３ｍｍ〜約５ｍｍであり得る。軸受がシャフトから離れているため、軸受径の寸法の影響なく大径シャフトも依然として使用することができる。軸受の寸法（例えば、直径の寸法）は、したがって、許容できる軸受速度に基づいて選択され得る。同様に、磁石／ロータ９０がシャフトに押し込まれる。シャフトは、堅固な結合を可能にするほどの適切な寸法であり得るという同様の利点がこの場合も当てはまる。
【手続補正３】
【補正対象書類名】特許請求の範囲
【補正対象項目名】全文
【補正方法】変更
【補正の内容】
【特許請求の範囲】
【請求項１】
シャフトの底部支持体と、
シャフトの上部支持体と、
ステータとロータとを含むモータコアと、
シャフトを介して前記モータコアに結合されているインペラと
を含み、
前記シャフトは、第１の端部においてスタブアクスル及び軸受配置構成を介して前記上部支持体に、第２の端部においてスタブアクスル及び軸受配置構成を介して前記底部支持体に回転可能に結合されている、呼吸装置のための送風機。
【請求項２】
前記シャフトは、前記第１の端部及び前記第２の端部において前記シャフト内の軸受によって前記スタブアクスルに回転可能に結合されている、請求項１に記載の呼吸装置のための送風機。
【請求項３】
前記シャフトは、前記第１の端部及び前記第２の端部において、スタブアクスルと、前記上部支持体及び前記底部支持体内の軸受とによって前記上部支持体及び前記底部支持体に回転可能に結合されている、請求項１に記載の送風機。
【請求項４】
前記スタブアクスルは、弾力及び／又は弾性がある、請求項１〜３のいずれか一項に記載の送風機。
【請求項５】
前記シャフトは、部分的に又は完全に中空であり、且つ前記第１の端部及び前記第２の端部は、前記中空内に軸受を有する、請求項１〜４のいずれか一項に記載の送風機。
【請求項６】
各軸受は、内レースと、外レースとを含み、及び各スタブアクスルは、前記それぞれの内部軸受レースに結合している、請求項１〜５のいずれか一項に記載の送風機。
【請求項７】
各スタブアクスルは、前記それぞれの内部軸受レース内に延びて、前記それぞれの内部軸受レースに結合する、突起の形態である、請求項４を引用する請求項６に記載の送風機。
【請求項８】
各スタブアクスルは、エラストマーから形成され、前記それぞれの内部軸受レース内に摩擦嵌合している、請求項７に記載の送風機。
【請求項９】
前記スタブアクスルは、中実及び／又は剛性であり、弾性及び／又は可撓性材料でオーバーモールドされている、請求項７に記載の送風機。
【請求項１０】
各スタブアクスルは、フランジ又は段付き部又はテーパで形成された、肩部を備える、請求項１〜９のいずれか一項に記載の送風機。
【請求項１１】
シャフトの最大直径寸法は、軸受径の寸法と独立である、請求項１〜１０のいずれか一項に記載の送風機。
【請求項１２】
軸方向入口／軸方向出口送風機である、請求項１〜１１のいずれか一項に記載の送風機。
【請求項１３】
単一ステージ軸方向入口／軸方向出口送風機である、請求項１〜１２のいずれか一項に記載の送風機。
【請求項１４】
軸方向入口／半径方向出口又は接線出口送風機である、請求項１〜１１のいずれか一項に記載の送風機。
【請求項１５】
単一ステージ軸方向入口／半径方向出口又は接線出口送風機である、請求項１〜１１又は１４のいずれか一項に記載の送風機。
【請求項１６】
前記インペラは、前記シャフトと一体形成されているか、又はプレス嵌め、オーバーモールド若しくは接着剤によって結合されている、請求項１〜１５のいずれか一項に記載の送風機。
【請求項１７】
前記ロータ又は磁石は、前記シャフト上にプレス嵌めされているか、又はオーバーモールド若しくは接着剤によって結合されている、請求項１〜１６のいずれか一項に記載の送風機。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
眼内への挿入のために構成されたデバイスであって、ベースを備えており、
前記ベースが、
前方ハウジング部と、
後方ハウジング部と、
前記前方ハウジング部と前記後方ハウジング部との間に延びる中間ハウジング部とを備え、
前記前方ハウジング部が、
前方壁と、
前方壁の前方端における前方開口と、
前記前方開口の後方における前方チャンバであって、前記前方開口の幅よりも大きい幅を有する、前方チャンバとを備え、
前記中間ハウジング部が、前記前方および後方ハウジング部よりも幅広く、かつ前記前方および後方ハウジング部から突出しており、
前記中間ハウジング部が、前記前方チャンバの後方において凹部を有しており、
前記凹部が、前記前方チャンバによって前記前方開口から離間しているとともに、前方突起と後方突起と前後方向に延びる側壁とを備える、デバイス。
【請求項２】
前記後方ハウジング部が、
後方壁と、
前記後方壁の後方端における後方開口と、
前記後方開口の前方における後方チャンバであって、前記後方開口の幅よりも大きい幅を有する、後方チャンバとを備え、
前記凹部が前記後方チャンバによって前記後方開口から離間している、請求項１に記載のデバイス。
【請求項３】
前記前方ハウジング部、前記後方ハウジング部、前記中間ハウジング部のそれぞれが環状である、請求項１に記載のデバイス。
【請求項４】
前記凹部が環状である、請求項１に記載のデバイス。
【請求項５】
前記凹部が、前記前方チャンバよりも幅広い、請求項１に記載のデバイス。
【請求項６】
前記凹部内での受容のために構成されたレンズをさらに含む、請求項１に記載のデバイス。
【請求項７】
前記レンズが前記凹部内に受容されるとき、前記レンズの前方表面が、前記前方チャンバによって前記前方開口から離間している、請求項６に記載のデバイス。
【請求項８】
前記ベースの前後高さと前記レンズの厚さとの比率が、２：１から３：１（前記ベースの高さ：前記レンズの厚さ）の範囲である、請求項６に記載のデバイス。
【請求項９】
前記ベースが、前記中間ハウジング部から径方向外側に突出する一対の支持部をさらに備える、請求項１に記載のデバイス。
【請求項１０】
眼内への挿入のために構成されたデバイスであって、ベースを備えており、
前記ベースが、
前方開口を備える前方ハウジング部と、
後方開口を備える後方ハウジング部と、
前記前方ハウジング部と前記後方ハウジング部との間に延びる中間ハウジング部と、
前記前方ハウジング部、前記後方ハウジング部、および前記中間ハウジング部を通じて延びる通路とを備え、
前記中間ハウジング部が、前方突起と後方突起と前後方向に延びる側壁とを備えた凹部を備え、
前記通路が、前記前方開口から前記後方開口まで延びており、前記通路の径方向幅が、前記通路が前記前方開口から前記前方ハウジング部を通じて前記中間ハウジング部まで延びるに従い増大し、前記通路が前記中間ハウジング部内に延びるに従いさらに増大し、前記通路が前記中間ハウジング部から前記後方ハウジング部を通じて前記後方開口に向かうに従い縮小する、デバイス。
【請求項１１】
前記さらに増大した径方向幅を有する前記通路の部分において前記中間ハウジング部内に受容されるように構成されたレンズをさらに備える、請求項１０に記載のデバイス。
【請求項１２】
前記レンズが、
中央光学部と、
前記中央光学部から径方向外側に突出する少なくとも１つの拡張部とを備え、
前記拡張部が、前記さらに増大した径方向幅を有する前記通路の部分を画定する前記中間ハウジング部の１つ以上の表面に係合するように構成されている、請求項１１に記載のデバイス。
【請求項１３】
前記少なくとも１つの拡張部が、複数の拡張部を含んでいる、請求項１２に記載のデバイス。
【請求項１４】
前記複数の拡張部が、前記中央光学部の正反対の位置から突出する一対の延長部を含む、請求項１３に記載のデバイス。
【請求項１５】
前記少なくとも１つの延長部が第１の延長部であって、
前記レンズが、前記中央光学部から径方向外側に突出する第２の延長部をさらに備え、
前記第２の延長部は、前記第１の延長部よりも堅い、請求項１２に記載のデバイス。
【請求項１６】
前記レンズが、前記中間ハウジング部内に受容されるとき、
前記デバイスが、
前記レンズの前側面における前方チャンバであって、前記前方ハウジング部の前方壁によって径方向に囲まれており、前記前方開口よりも幅広い、前方チャンバと、
前記レンズの後側面における後方チャンバであって、前記後方ハウジング部の後方壁によって径方向に囲まれており、前記後方開口よりも幅広い、後方チャンバとを備える、請求項１２に記載のデバイス。
【請求項１７】
前記ベースの前後高さと前記レンズの厚さとの比率が、２：１から３：１（前記ベースの高さ：前記レンズの厚さ）の範囲である、請求項１１に記載のデバイス。
【請求項１８】
前記ベースが、前記中間ハウジング部から径方向外側に突出する一対の支持部をさらに備える、請求項１０に記載のデバイス。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
３Ｄイメージングを使用する検査のための超音波システムであって、
ターゲット解剖学的構造に超音波を送信し、それに応じて超音波エコーを受信するように構成されるトランスデューサアレイと、
前記受信した超音波エコーに基づいて、前記ターゲット解剖学的構造を含む２Ｄ超音波画像を生成し、
システム入力に基づいて、前記超音波システムのメモリに記憶された複数のグラフィックアイコンを選択するように構成されるプロセッサであって、各グラフィックアイコンが、前記ターゲット解剖学的構造の複数の異なる３Ｄサムネイルビューを有し、前記グラフィックアイコンの選択に応答して、前記超音波システムに、前記選択されるグラフィックアイコンの前記3Dサムネイルビューに対応するビューの超音波画像を生成させるように構成される、プロセッサと、
前記複数のグラフィックアイコンを表示するように適応されたディスプレイと、
を有する超音波システム。
【請求項２】
前記システム入力は、前記トランスデューサアレイに対する前記ターゲット解剖学的構造の向きの情報を示すユーザ入力を含む、請求項１に記載の超音波システム。
【請求項３】
前記ユーザ入力は、前記ターゲット解剖学的構造のビューイング向き又は前記ターゲット解剖学的構造をビューするように構成されるプロトコルを識別するように構成されるテキストベースの又はタッチベースの入力を含む、請求項２に記載の超音波システム。
【請求項４】
前記２Ｄ超音波画像は基準画像であり、前記ユーザ入力は、前記ディスプレイに表示される前記基準画像の選択を含み、前記基準画像は、前記トランスデューサアレイに対する前記ターゲット解剖学的構造の向き情報を示す、請求項２に記載の超音波システム。
【請求項５】
前記システム入力は、前記ターゲット解剖学的構造のセグメント化モデルによって生成されるトランスデューサアレイに対する前記ターゲット解剖学的構造の向き情報を含む、請求項１に記載の超音波システム。
【請求項６】
前記グラフィックアイコンの複数の異なる３Ｄサムネイルビューのうち少なくとも１つに対応する前記ターゲット解剖学的構造の少なくとも１つの３Ｄ画像を生成するよう適応されるボリュームレンダリング器を更に有する、請求項１に記載の超音波システム。
【請求項７】
少なくとも１つの３Ｄ画像を生成するために使用される３Ｄ画像データから前記ターゲットのマルチプラナビューを生成するように構成される、請求項２の超音波システム。
【請求項８】
前記システム入力に基づいて、３Ｄ表示プロセッサにより３Ｄ画像及び前記超音波システムの制御設定を変更するシステムコントローラを更に有する、請求項１に記載の超音波システム。
【請求項９】
前記システムコントローラは、メモリに記憶されたマクロに従って前記システムの３Ｄ画像及び制御設定を変更するように適応される、請求項８に記載の超音波システム。
【請求項１０】
前記システムコントローラは、マクロ記憶及びコントローラからマクロを受け取るように結合され、前記システムコントローラの出力は、前記プロセッサ及び前記ボリュームレンダリング器に結合される、請求項９に記載の超音波システム。
【請求項１１】
前記トランスデューサアレイから信号を受け取るように結合される入力と、前記プロセッサに結合される出力と、を有するビームフォーマと、
前記ビームフォーマに結合される出力を有するビームフォーマコントローラと、
を更に有し、前記システムコントローラの出力が、前記ビームフォーマコントローラにも結合される、請求項１０に記載の超音波システム。
【請求項１２】
前記システムコントローラは、前記マクロの受け取りに応じて、前記ビームフォーマ、前記プロセッサ及び前記ボリュームレンダリング器を制御するように更に適応される、請求項１１に記載の超音波システム。
【請求項１３】
前記プロセッサは、Ｂモードプロセッサ及びドップラープロセッサを更に有する、請求項１に記載の超音波システム。
【請求項１４】
ユーザ制御の駆動に応じて、３Ｄイメージングモードを起動するように適応されるユーザインタフェースを更に有する、請求項１に記載の超音波システム。
【請求項１５】
前記基準画像の特性を含むように適応される領域を有するユーザインタフェースを更に有する、請求項４に記載の超音波システム。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
オストミーベルトシステムであって、
細長材料片及びベルト結合要素を有するオストミーベルトと、
オストミーパウチであって、内部容積を画定する外壁及び、前記ベルト結合要素との解放可能な係合のために構成されたパウチ結合セクションを有するオストミーパウチと
を含み、
前記ベルト結合要素及び前記パウチ結合セクションの一方又は両方は、予め決められた場所で撓むか又は曲がるように構成される、オストミーベルトシステム。
【請求項２】
前記ベルト結合要素は、前記細長材料片に固定された第１結合要素及び第２結合要素を含み、
前記第１結合要素は、１つ又は複数の締結具を含み、
前記第２結合要素は、前記第１結合要素のそれぞれの締結具に着脱可能に係合するように構成された１つ又は複数の対応する締結具を含み、
前記第１結合要素及び第２結合要素は、前記細長材料片に固定されたベースと、前記ベースから延在する締結部分とをそれぞれ含む、請求項１に記載のオストミーベルトシステム。
【請求項３】
前記ベースは、前記細長材料片を受けるための開口を含み、
前記オストミーベルトは、スライドバックルを含む調節可能ベルトとして構成される、請求項２に記載のオストミーベルトシステム。
【請求項４】
前記それぞれの締結部分は、開いて湾曲したセクションを形成する、請求項３に記載のオストミーベルトシステム。
【請求項５】
前記オストミーパウチの前記外壁は、
先端側と、
基端側であって、該基端側に形成された入口開口を有する基端側と、
前記基端側から延在する遮蔽体と
を含み、
前記ベルト結合要素は、前記遮蔽体と前記基端側との間に位置付けられる、請求項１〜４のいずれか一項に記載のオストミーベルトシステム。
【請求項６】
前記パウチ結合セクションは、前記基端側の前記入口開口の周りに形成され、
前記第１結合要素は、前記オストミーパウチを支持するために前記パウチ結合セクションで前記第２結合要素に固定される、請求項５に記載のオストミーベルトシステム。
【請求項７】
前記ベルト結合要素は、前記ベルト結合要素が前記予め決められた場所で撓むか又は曲がることを可能にするための１つ又は複数の可撓性セクションを含む、請求項１〜６のいずれか一項に記載のオストミーベルトシステム。
【請求項８】
前記１つ又は複数の可撓性セクションは、減少した材料厚さ、材料プロファイルの変化、及び異なる可撓性特性を有する２つの材料、のうち、１つ又は複数によって形成される、請求項７に記載のオストミーベルトシステム。
【請求項９】
前記パウチ結合セクションは、パウチ結合リングとして形成され、且つ前記ベルト結合要素との解放可能な結合係合のために構成された１つ又は複数のパウチ締結具を含む、請求項１〜８のいずれか一項に記載のオストミーベルトシステム。
【請求項１０】
前記パウチ結合リングは、前記パウチ結合リングが前記予め決められた場所で撓むか又は曲がることを可能にするための１つ又は複数の可撓性セクションを含む、請求項９に記載のオストミーベルトシステム。
【請求項１１】
前記１つ又は複数の可撓性セクションは、減少した材料厚さ、材料プロファイルの変化、及び異なる可撓性特性を有する２つの材料、のうち、１つ又は複数によって形成される、請求項１０に記載のオストミーベルトシステム。
【請求項１２】
オストミーベルトであって、
細長材料片と、
第１結合要素及び前記第１結合要素との解放可能な係合のために構成された第２結合要素であって、前記第１及び第２結合要素のそれぞれは、前記細長材料片に固定される、第１結合要素及び第２結合要素と、
各結合要素が１つ又は複数の予め決められた場所で曲がることを可能にするための、前記第１及び第２結合要素のそれぞれに形成された１つ又は複数の可撓性セクションと
を含むオストミーベルト。
【請求項１３】
前記第１結合要素及び第２結合要素は、前記細長材料片に固定されたベースと、前記ベースから延在する締結部分とをそれぞれ含み、
前記第１結合要素は、１つ又は複数の締結具を含み、
前記第２結合要素は、前記第１結合要素のそれぞれの締結具に着脱可能に係合するように構成された１つ又は複数の対応する締結具を含む、請求項１２に記載のオストミーベルト。
【請求項１４】
前記それぞれの締結部分は、開いて湾曲したセクションを形成する、請求項１３に記載のオストミーベルト。
【請求項１５】
前記締結具は、前記第１結合要素の前記締結部分の実質的に両側の端部に位置付けられ、
前記対応する締結具は、前記第２結合要素の前記締結部分の実質的に両側の端部に位置付けられる、請求項１３又は１４に記載のオストミーベルト。
【請求項１６】
前記１つ又は複数の可撓性セクションは、減少した材料厚さ、材料プロファイルの変化、及び異なる可撓性特性を有する２つの材料、のうち、１つ又は複数によって形成される、請求項１２〜１５のいずれか一項に記載のオストミーベルト。
【請求項１７】
前記ベースは、前記細長材料片を受けるための開口を含み、前記オストミーベルトは、スライドバックルを含む調節可能ベルトとして構成される、請求項１３〜１６のいずれか一項に記載のオストミーベルト。